(57)【要約】      （修正有）【課題】手軽にスナップ写真を交換できるフォトフレームを提供する。 【解決手段】下部展示部６の表面部には、スナップ写真を嵌めこむことのできる、溝部が設けられており、下部展示部６は、簡単に挿入、抜出が可能となるよう構成されている。【選択図】図１
0003214155.tif 000002
【実用新案登録請求の範囲】
【請求項１】
フォトフレーム１は、室内外の壁面や、平面上に、全体をスタンド２０を使って、立掛け式にしたり、又壁掛け型で使用でき、
その構成は、前部枠体２と、後部枠体３により構成され、前部枠体２の中央表明部分には、樹脂製か、又は、ガラス製の表面板４が、配置されており、表面板４は、前部枠体に密封に嵌め込まれており、固定されており、
表面版の後方は、上部展示部５と、引き出し式の下部展示部６から構成され、フォトフレーム１の展示部を構成しており、
上部展示部５の中には、記念となる名所の写真やイラスト等７が張られており。名所の写真やイラスト等７の情報の好ましい位置に、クオーツ時計８が、設けられており、時刻を示すことが出来、
その下方には、引き出し式の下部展示部６が、ガイド板１０を介して、下方に引き出し可能に構成されており、
下部展示部６の表面には、スナップ写真１１を嵌め込むことのできる溝部１２が設けられており、該溝部１２は、日本の写真のL版サイズのが、嵌め込まれる大きさとなっており、下部展示部６の溝部１２に、スナップ写真１１が両面テープを使用したり、接着により固定され、又必要に応じ交換することが出来るよう構成され、下部展示部６は、簡単に挿入、抜出が可能となるよう構成されており、
フォトフレーム１の枠体等の材質に関しても、ポリエチレン、ポリプロピレン、塩化ビニール、ポリスチレン、ＡＢＳ等の合成樹脂製、ゴム製、エラストマー樹脂や、樹脂含侵の繊維、樹脂含侵の紙、又は、アルミ、鉄、銅等の金属製など、最も安価で機能を発揮するものが選択でき、硬度に関しても、軟質、硬質のいずれでも良く、最も適した性能を発揮できることを特徴とするフォトフレーム１。
【考案の詳細な説明】
【技術分野】
【０００１】
本考案は、時計付フォトフレームに関する。
【背景技術】
【０００２】
従来、インテリア用品として、フォトフレームが好まれてきた。
特に2020年の東京オリンピック・パラリンピックに向けて、日本の観光ブームが盛んになり、特に海外の観光客が、日本の各地を訪れ、土産物として、記念のフォトフレームが多く、購入されてきている。
【考案の概要】
【考案が解決しようとする課題】
【０００３】
本考案は、これらの必要性を解決しようとする時計付フォトフレームを提供するものである。
【課題を解決するための手段】
【０００４】
フォトフレーム１は、室内外の壁面や、平面上に、全体をスタンド２０を使って、立掛け式にしたり、又壁掛け型で使用でき、
その構成は、前部枠体２と、後部枠体３により構成され、前部枠体２の中央表明部分には、樹脂製の表面板４が、配置されており、表面板４は、前部枠体に密封に嵌め込まれており、固定されており、
表面版の後方は、上部展示部５と、引き出し式の下部展示部６から構成され、フォトフレーム１の展示部を構成しており、
上部展示部５の中には、記念となる名所の写真やイラスト等７が張られており。名所の写真やイラスト等７の情報の好ましい位置に、クオーツ時計８が、設けられており、時刻を示すことが出来、
【０００５】
その下方には、引き出し式の下部展示部６が、ガイド板１０を介して、下方に引き出し可能に構成されており、
下部展示部６の表面には、スナップ写真１１を嵌め込むことのできる溝部１２が設けられており、該溝部１２は、日本の写真のL版サイズのが、嵌め込まれる大きさとなっており、下部展示部６の溝部１２に、スナップ写真１１が両面テープを使用したり、接着により固定され、又必要に応じ交換することが出来るよう構成され、下部展示部６は、簡単に挿入、抜出が可能となるよう構成されており、
フォトフレーム１の枠体等の材質に関しても、ポリエチレン、ポリプロピレン、塩化ビニール、ポリスチレン、ＡＢＳ等の合成樹脂製、ゴム製、エラストマー樹脂や、樹脂含侵の繊維、樹脂含侵の紙、又は、アルミ、鉄、銅等の金属製など、最も安価で機能を発揮するものが選択でき、硬度に関しても、軟質、硬質のいずれでも良く、最も適した性能を発揮できることを特徴とするフォトフレーム１を提供する。
【考案の効果】
【０００６】
（１）表面板４は、前部枠体に密封に嵌め込まれており、固定されている。
表面版の後方は、上部展示部５と、引き出し式の下部展示部６から構成され、フォトフレーム１の展示部を構成している。
又、上部展示部５の中には、記念となる名所の写真やイラスト等７が張られており。その情報の好ましい位置に、クオーツ時計８が、設けられており、時刻を示すことが出来る。
（２）下部展示部６の表面部には、スナップ写真１１を嵌めこむことのできる、溝部１２が設けられており、溝部１２は、日本の写真のL版サイズが、嵌め込まれる大きさとなっており、下部展示部６の溝部１２に、両面テープを使用したり、接着により固定し、必要に応じ交換することが出来る。
図４、図５に示す如く下部展示部６容易に引き出しできるよう、切欠き部１３を介して、簡単に挿入、抜出が可能となるよう構成されている。
【図面の簡単な説明】
【０００７】
【図１】実施例の使用状態を示す全体概要図である。
【図２】実施例の正面図である。
【図３】実施例の右側面図である。
【図４】断面Ａ−Ａの垂直断面図である。
【図５】下方より見た平面図である。
【考案を実施するための形態】
【０００８】
なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例】
【０００９】
以下、本考案の実施例について、図面を参照しながら説明する。
図１は、実施例の使用状態を示す全体概要図である。
図２は、実施例の正面図である。
図３は、実施例の右側面図である。
図４は、断面Ａ−Ａの垂直断面図である。
図５は、下方より見た平面図である。
【００１０】
その詳細構造に関して述べると、本考案のフォトフレーム１は、図１に示す如く、
室内外の壁面や、平面上に、全体を、スタンド２０を使って、立掛け式にしたり、又壁掛け型で使用できる。
その構成は、図２の正面図及び図４に示す如く、前部枠体２と、後部枠体３により構成され、前部枠体２の中央表明部分には、樹脂製の表面板４が、配置されている。表面板４は、前部枠体に密封に嵌め込まれており、固定されている。
表面版の後方は、上部展示部５と、引き出し式の下部展示部６から構成され、フォトフレーム１の展示部を構成している。
又、上部展示部５の中には、記念となる名所の写真やイラスト等７が設置されており。その情報の好ましい位置に、クオーツ時計８が、設けられており、時刻を示すことが出来る。時計の背面には乾電池９があり、乾電池９を交換することにより、長期間の使用が、可能である。
【００１１】
引き出し式の下部展示部６は、図４や、図５に示す如く、左右両側に設けられた、ガイド板１０を介して、下方に引き出し可能に構成されている。
下部展示部６の表面部には、スナップ写真１１を嵌めこむことのできる溝部１２が設けられており、
溝部１２は、日本の写真のL版サイズが、嵌め込まれる大きさとなっており、下部展示部６の溝部１２に、両面テープを使用したり、接着により固定し、必要に応じ交換することが出来る。
図４、図５に示す如く下部展示部６は、容易に引き出しできるよう切欠き部１３を介して、簡単に挿入、抜出が可能となるよう構成されている。
【００１２】
フォトフレーム１の枠体等の材質に関しても、ポリエチレン、ポリプロピレン、塩化ビニール、ポリスチレン、ＡＢＳ等の合成樹脂製、ゴム製、エラストマー樹脂や、樹脂含侵の繊維、樹脂含侵の紙、又は、アルミ、鉄、銅等の金属製など、最も安価で機能を発揮するものが選択できる。
硬度に関しても、軟質、硬質のいずれでも良く、最も機能を発揮できるものが選択される。
【産業上の利用可能性】
【００１３】
本考案の活用例としては、以上説明したように、インテリア用品として、幅広い活用が可能であり、その性能、好感度により、東京オリンピック・パラリンピックの国内外の需要が、期待され、新商品による産業の発展に貢献できる新規かつ実用的な考案である。
【符号の説明】
【００１４】
１フォトフレーム
２前部枠体
３後部枠体
４表面板
５上部展示部
６下部展示部
７名所の写真やイラスト等
８クオーツ時計
９乾電池
１０ガイド板
１１スナップ写真
１２溝部
１３切欠き部
２０スタンド
【図１】
0003214155.tif 000003
【図２】
0003214155.tif 000004
【図３】
0003214155.tif 000005
【図４】
0003214155.tif 000006
【図５】
0003214155.tif 000007
【手続補正書】
【提出日】平成29年9月5日(2017.9.5)
【手続補正１】
【補正対象書類名】実用新案登録請求の範囲
【補正対象項目名】全文
【補正方法】変更
【補正の内容】
【実用新案登録請求の範囲】
【請求項１】
フォトフレーム１は、室内外の壁面や、平面上に、全体をスタンド２０を使って、立掛け式にしたり、又壁掛け型で使用でき、その構成は、前部枠体２と、後部枠体３により構成され、前部枠体２の中央表面部分には、樹脂製か、又は、ガラス製の表面板４が、配置されており、表面板４は、前部枠体に密封に嵌め込まれており、固定されており、表面版の後方は、上部展示部５と、引き出し式の下部展示部６から構成され、フォトフレーム１の展示部を構成しており、上部展示部５の中には、記念となる名所の写真やイラスト７が張られており。名所の写真やイラスト７の情報の好ましい位置に、クオーツ時計８が、設けられており、時刻を示すことが出来、その下方には、引き出し式の下部展示部６が、ガイド板１０を介して、下方に引き出し可能に構成されており、下部展示部６の表面には、スナップ写真１１を嵌め込むことのできる溝部１２が設けられており、該溝部１２は、日本の写真のL版サイズが、嵌め込まれる大きさとなっており、下部展示部６の溝部１２に、スナップ写真１１が両面テープを使用したり、接着により固定され、又必要に応じ交換することが出来るよう構成され、下部展示部６は、簡単に挿入、抜出が可能となるよう構成されており、フォトフレーム１の枠体の材質に関しても、ポリエチレン、ポリプロピレン、塩化ビニール、ポリスチレン、ＡＢＳの合成樹脂製、ゴム製、エラストマー樹脂や、樹脂含侵の繊維、樹脂含侵の紙、またはアルミ、鉄、銅の金属製により製作され、前記枠体１の材質の範囲で選択でき、硬度に関しても、軟質、硬質のいずれでも良いことを特徴とするフォトフレーム１。
【手続補正書】
【提出日】平成29年10月26日(2017.10.26)
【手続補正１】
【補正対象書類名】実用新案登録請求の範囲
【補正対象項目名】全文
【補正方法】変更
【補正の内容】
【実用新案登録請求の範囲】
【請求項１】
フォトフレーム１は、室内外の壁面や、平面上に、全体をスタンド２０を使って、立掛け式にしたり、又壁掛け型で使用でき、その構成は、前部枠体２と、後部枠体３により構成され、前部枠体２の中央表面部分には、樹脂製か、又は、ガラス製の表面板４が、配置されており、表面板４は、前部枠体に密封に嵌め込まれており、固定されており、表面版の後方は、上部展示部５と、引き出し式の下部展示部６から構成され、フォトフレーム１の展示部を構成しており、上部展示部５の中には、記念となる名所の写真やイラスト７が張られており、名所の写真やイラスト７の情報の好ましい位置に、クオーツ時計８が、設けられており、時刻を示すことが出来、その下方には、引き出し式の下部展示部６が、ガイド板１０を介して、下方に引き出し可能に構成されており、下部展示部６の表面には、スナップ写真１１を嵌め込むことのできる溝部１２が設けられており、該溝部１２は、日本の写真のL版サイズが、嵌め込まれる大きさとなっており、下部展示部６の溝部１２に、スナップ写真１１が両面テープを使用したり、接着により固定され、又必要に応じ交換することが出来るよう構成され、下部展示部６は、簡単に挿入、抜出が可能となるよう構成されており、フォトフレーム１の枠体の材質に関しても、ポリエチレン、ポリプロピレン、塩化ビニール、ポリスチレン、ＡＢＳの合成樹脂製、ゴム製、エラストマー樹脂や、樹脂含侵の繊維、樹脂含侵の紙、またはアルミ、鉄、銅の金属製により製作され、前記フォトフレーム１の枠体の材質の範囲で選択でき、硬度に関しても、軟質、硬質のいずれでも良いことを特徴とするフォトフレーム１。